(57)【要約】【課題】側板の変形等を招来せずに、投入された商品を良好に商品収納通路に案内させることができる商品収納装置を提供すること。【解決手段】左右一対の側板２１１，２２１，２３１間に上下方向に延在し、かつ投入された商品を順次収納するための商品収納通路Ｌが画成された複数の商品収納ユニットを、前後に並ぶ態様で配設してなる商品収納装置（２０）において、隣接する商品収納ユニットが相対的に左右方向に移動することを規制し、かつ、該隣接する商品収納ユニットが必要以上に近接することを規制するスペーサ部材６０を備えたものである。【選択図】        図５
2006251907.tif 000002
【特許請求の範囲】
【請求項１】
左右一対の側板間に上下方向に延在し、かつ投入された商品を順次収納するための商品収納通路が画成された複数の商品収納ユニットを、前後に並ぶ態様で配設してなる商品収納装置において、
隣接する商品収納ユニットが相対的に左右方向に移動することを規制し、かつ、該隣接する商品収納ユニットが必要以上に近接することを規制するスペーサ部材を備えたことを特徴とする商品収納装置。
【請求項２】
前記スペーサ部材は、前後に隣接する商品収納ユニットのうち前側にある商品収納ユニットの側板間に架設してあり、
後側にある商品収納ユニットの側板間に進入して、該隣接する商品収納ユニットが相対的に左右方向に移動することを規制する第１規制部と、
隣接する商品収納ユニットの間に介在して、該商品収納ユニットが必要以上に近接することを規制する第２規制部と
を有することを特徴とする請求項１に記載の商品収納装置。
【発明の詳細な説明】
【技術分野】
【０００１】
本発明は、商品収納装置に関し、より詳細には、例えば缶入り飲料、瓶入り飲料およびペットボトル入り飲料等の商品を販売する自動販売機に適用される商品収納装置の改良に関する。
【背景技術】
【０００２】
従来、例えば缶入り飲料、瓶入り飲料およびペットボトル入り飲料等の商品を販売する自動販売機に適用される商品収納装置として、前後方向に複数に分割された構造のものが知られている。
【０００３】
そのような商品収納装置は、複数の商品収納ユニットを備えて構成されている。各商品収納ユニットは、左右に対向して立設された一対の側板の間に複数の円弧状のセグメントが架設されることにより、上下方向に沿って蛇行した態様で画成された商品収納通路を有している。また、個々の商品収納通路の下方側に最下段に収納された商品を切り出して搬出するための商品搬出機構が設けられている。
【０００４】
それら商品収納ユニットのそれぞれを自動販売機の筐体である本体キャビネットの天板に架設して該商品収納ユニットが前後に並ぶ態様で配設することにより商品収納装置が構成されている。このような商品収納装置では、投入された商品を各商品収納通路に案内するための商品投入用トレイが、個々の商品収納通路の上方側に漸次下方傾斜する態様で設けられている。より詳細に説明すると、商品投入用トレイが、最も前方に配設された商品収納ユニットの前方側から挿入されることにより設けられている。特に、後方側に位置する商品収納通路に投入された商品を案内する商品投入用トレイは、長尺状のものであり、各商品収納ユニットを貫通する態様で設けられている。また、商品投入用トレイは、手動にてその位置を前後に切り換えることができ、これにより、該商品投入用トレイの奥方の通路寸法を販売する商品の最大径に合わせて調整する機能を有する。
【０００５】
上記商品収納通路においては、商品を補充する場合、前方から商品投入用トレイに商品を横向きの姿勢（倒置姿勢）で投入する。これにより、商品は、商品投入用トレイの傾斜にしたがって漸次後方に転動し、該商品投入用トレイの後端からセグメントに沿って蛇行状の商品収納通路を転動しながら落下して商品搬出機構の上に一列に積み上げ収納される。そして、商品を販売する場合、商品搬出機構が販売指令に基づいて駆動して最下段に収納された商品を下方に落下させる。これにより、商品は、自動販売機の商品取出口まで払い出される。
【発明の開示】
【発明が解決しようとする課題】
【０００６】
ところが、上述したような構成を有する商品収納装置では、各商品収納ユニットを本体キャビネットに架設する際、前後に隣接する商品収納ユニットが相対的に左右方向に移動してしまう、あるいは隣接する商品収納ユニットが必要以上に近接する結果、側板どうしが干渉してしまうことがあった。隣接する商品収納ユニットが相対的に左右方向に移動してしまうと、両者の間に左右方向のずれが生じることになり、これにより、商品投入用トレイを前方から挿入して所望の姿勢で配置すること、ならびに商品投入用トレイの位置を前後に調整操作することが困難になり、その結果、投入された商品を良好に商品収納通路まで案内することが困難になる。一方、隣接する商品収納ユニットの側板どうしが干渉してしまうと、側板の変形や商品投入用トレイの奥方の通路寸法の狭小化等を招来することになる。
【０００７】
本発明は、上記実情に鑑みて、側板の変形等を招来せずに、投入された商品を良好に商品収納通路に案内させることができる商品収納装置を提供することを目的とする。
【課題を解決するための手段】
【０００８】
上記目的を達成するために、本発明の請求項１にかかる商品収納装置は、左右一対の側板間に上下方向に延在し、かつ投入された商品を順次収納するための商品収納通路が画成された複数の商品収納ユニットを、前後に並ぶ態様で配設してなる商品収納装置において、隣接する商品収納ユニットが相対的に左右方向に移動することを規制し、かつ、該隣接する商品収納ユニットが必要以上に近接することを規制するスペーサ部材を備えたことを特徴とする。
【０００９】
また、本発明の請求項２にかかる商品収納装置は、上記請求項１において、前記スペーサ部材は、前後に隣接する商品収納ユニットのうち前側にある商品収納ユニットの側板間に架設してあり、後側にある商品収納ユニットの側板間に進入して、該隣接する商品収納ユニットが相対的に左右方向に移動することを規制する第１規制部と、隣接する商品収納ユニットの間に介在して、該商品収納ユニットが必要以上に近接することを規制する第２規制部とを有することを特徴とする。
【発明の効果】
【００１０】
本発明にかかる商品収納装置によれば、スペーサ部材が、隣接する商品収納ユニットが相対的に左右方向に移動することを規制し、かつ、該隣接する商品収納ユニットが必要以上に近接することを規制するので、各商品収納ユニットを同一の幅を有した状態で一直線上に連通させることができるとともに、隣接する商品収納ユニット間に必要最低限のスペースを確保できる。したがって、隣接する商品収納ユニットの側板どうしが干渉してしまうことによる側板の変形等を招来せずに、投入された商品を良好に商品収納通路に案内させることができるという効果を奏する。
【発明を実施するための最良の形態】
【００１１】
以下に添付図面を参照して、本発明にかかる商品収納装置の好適な実施の形態について詳細に説明する。
【００１２】
図１〜図３は、それぞれ本発明の実施の形態における商品収納装置が適用された自動販売機の構成を示したものである。この自動販売機は、缶入り飲料やペットボトル入り飲料等の商品を販売するためのもので、本体キャビネット１を備えている。
【００１３】
本体キャビネット１は、前面が開口した直方状の断熱筐体として形成されたものである。この本体キャビネット１の内部には、複数の独立した商品収容庫２ａ，２ｂ，２ｃが左右に並設してある。これら商品収容庫２ａ，２ｂ，２ｃは、缶入り飲料やペットボトル入り飲料等の商品を所望の温度に維持した状態で収容するためのものである。各商品収容庫２ａ，２ｂ，２ｃには、それぞれの上方部に、投入された商品を収納するための商品収納装置２０が配設してある一方、搬出用シュータ４によって区画される下方部に、熱交換器（図示せず）が配設してあり、該熱交換器の駆動により、商品収納装置２０に収納された飲料缶やペットボトルを所望の冷却温度、あるいは加熱温度に維持することが可能である。
【００１４】
上記自動販売機には、本体キャビネット１の一側縁部に扉体５を設けてある。扉体５は、本体キャビネット１の前面開口を開閉するためのもので、内扉５ａ、中扉５ｂおよび外扉５ｃを備えて構成してある。内扉５ａは、本体キャビネット１に設けた商品収容庫２ａ，２ｂ，２ｃの前面を覆うに充分な大きさを有したものである。図示の例では、内扉５ａを上下に分割し、それぞれを個別に開閉できるようにしてある。
【００１５】
中扉５ｂは、内扉５ａの前面側に配設したものである。この中扉５ｂには、その前面側上部に販売商品のサンプル（以下、商品サンプルともいう）Ｓを左右に並べて一列に載置した商品サンプルステージ６が上下方向に沿って複数段（図示の例では３段）に並べて配設してある。また、中扉５ｂには、その前面側下部に電照板７が配設してある。
【００１６】
外扉５ｃは、本体キャビネット１の前面開口を覆うに充分な大きさを有したものである。この外扉５ｃには、その前面側にディスプレイウィンドウ８、商品選択ボタン９、硬貨投入口１０、紙幣挿入口１１、一体表示器１２、硬貨返却口１３、商品取出口１４が設けてある。一方、外扉５ｃの後面側には、硬貨処理機１５、硬貨回収箱１６、紙幣処理機１７が設けてある。
【００１７】
ディスプレイウィンドウ８は、中扉５ｂに配置した商品サンプルＳ（商品サンプルステージ６）および電照板７を利用者に視認させるための窓である。商品選択ボタン９は、利用者が購入商品を選択するための押ボタンスイッチであり、ディスプレイウィンドウ８を通じて視認される商品サンプルＳ毎に用意してある。硬貨投入口１０は、利用者が硬貨を投入するための開口である。この硬貨投入口１０を通じて投入された硬貨は、硬貨処理機１５においてその金種が識別され、その後、硬貨回収箱１６に収容されることになる。紙幣挿入口１１は、利用者が紙幣を挿入するための開口である。この紙幣挿入口１１を通じて挿入された紙幣は、紙幣処理機１７においてその金種が識別されることになる。また上記紙幣挿入口１１は、紙幣処理機１７において識別できなかった紙幣を返却するための機能を有している。一体表示器１２は、貨幣の投入金額、販売中であるか否か、釣銭があるか否か等、各種情報を利用者に表示するためのものである。硬貨返却口１３は、硬貨処理機１５において識別できなかった硬貨、あるいは釣銭となる硬貨を利用者に返却するための開口である。商品取出口１４は、商品収納装置２０から払い出された商品を利用者が受け取るための開口である。
【００１８】
図４は、上記商品収納装置を簡略的に示したものである。この図４において、商品収納装置２０は、前後に６列の商品収納通路が画成された３分割構造を有している。この商品収納装置２０は、次のようにして構成される。商品収納装置２０は、商品収納ユニットとなる前段ユニット２１、中段ユニット２２および後段ユニット２３を備えている。
【００１９】
前段ユニット２１は、最も前方に位置するものであり、複数（図示の例では２つ）の商品収納通路Ｌを有している。商品収納通路Ｌは、一対の側板２１１の間に、複数の第１セグメント４１および第２セグメント４２を架設することにより画成される。より詳細に説明すると次のようになる。
【００２０】
一対の側板２１１は、それぞれ例えば鋼板等の板状部材を加工してなるものである。これら側板２１１は、左右に対向する態様で立設してある。第１セグメント４１は、一枚の鋼板等の板状部材を加工したものであり、正面側が凹となる湾曲形状を有している。この第１セグメント４１には、フラッパ３０が取り付けてある。フラッパ３０は、図には明示しないが、水平に設けた軸部を中心に上下方向に揺動可能に取り付けてあり、バネ（図示せず）等の付勢手段により第１セグメント４１の正面側に向けて突出するように付勢してある。第２セグメント４２は、第１セグメント４１同様、一枚の鋼板等の板状部材を加工したものであり、正面側が凹となる湾曲形状を有している。この第２セグメント４２には、フラッパ３０が取り付けてある。フラッパ３０は、図には明示しないが、水平に設けた軸部を中心に上下方向に揺動可能に取り付けてあり、バネ（図示せず）等の付勢手段により第２セグメント４２の正面側に向けて突出するように付勢してある。
【００２１】
これら複数の第１セグメント４１および第２セグメント４２を、それぞれ側板２１１間の所定の高さ位置から下方に連なって架設することにより、図４中に示すように、前後に並ぶ態様で２列の商品収納通路Ｌが画成される。より詳細には、側板２１１間において、第１セグメント４１および第２セグメント４２のそれぞれの正面が対向する態様で２列に架設されることにより前後に２列の商品収納通路Ｌが画成される。ここで、第１セグメント４１は、正面が画成する商品収納通路Ｌ側（後方側）を臨む態様で、第２セグメント４２は、正面が画成する商品収納通路Ｌ側（前方側）を臨む態様で架設されている。
【００２２】
また、上記前段ユニット２１においては、個々の商品収納通路Ｌの下方側に商品搬出機構７０が設けてある。商品搬出機構７０は、商品の販売を制御するものであり、商品収納通路Ｌの下部出口に取り付けてある。
【００２３】
中段ユニット２２は、前段ユニット２１の後方側に隣接するものであり、複数（図示の例では２つ）の商品収納通路Ｌを有している。商品収納通路Ｌは、一対の側板２２１の間に複数の第１セグメント４１および第２セグメント４２を架設することにより画成してある。より詳細に説明すると次のようになる。
【００２４】
一対の側板２２１は、それぞれ例えば鋼板等の板状部材を加工してなるものである。これら側板２２１は、左右に対向する態様で立設してある。ここで、これらの側板２２１間の距離は、上述した前段ユニット２１の側板２１１間の距離と同じである。そして、複数の第１セグメント４１および第２セグメント４２を、それぞれ側板２２１間の所定の高さ位置から下方に連なって架設することにより、図４中に示すように、前後に並ぶ態様で２列の商品収納通路Ｌが画成される。より詳細に説明すると、側板２２１間において、第１セグメント４１および第２セグメント４２のそれぞれの正面が対向する態様で２列に架設することにより前後に２列の商品収納通路Ｌが画成される。ここで、第１セグメント４１は、正面が画成する商品収納通路Ｌ側（後方側）を臨む態様で、第２セグメント４２は、正面が画成する商品収納通路Ｌ側（前方側）を臨む態様で架設されている。
【００２５】
上記中段ユニット２２においては、個々の商品収納通路Ｌの下方側に商品搬出機構７０が設けてある。商品搬出機構７０は、商品の販売を制御するものであり、商品収納通路Ｌの下部出口に取り付けてある。
【００２６】
後段ユニット２３は、最も後方に位置するものであり、複数（図示の例では２つ）の商品収納通路Ｌを有している。商品収納通路Ｌは、一対の側板２３１の間に複数の第１セグメント４１および第２セグメント４２を架設することにより画成してある。より詳細に説明すると次のようになる。
【００２７】
一対の側板２３１は、それぞれ例えば鋼板等の板状部材を加工してなるものである。これら側板２３１は、左右に対向する態様で立設してある。ここで、これらの側板２３１間の距離は、上述した前段ユニット２１および中段ユニット２２のそれぞれの側板２１１，２２１間の距離と同じである。そして、複数の第１セグメント４１および第２セグメント４２を、それぞれ側板２３１間の所定の高さ位置から下方に連なって架設することにより、図４中に示すように、前後に並ぶ態様で２列の商品収納通路Ｌが画成される。より詳細に説明すると、側板２３１間において、第１セグメント４１および第２セグメント４２のそれぞれの正面が対向する態様で２列に架設することにより前後に２列の商品収納通路Ｌが画成される。ここで、第１セグメント４１は、正面が画成する商品収納通路Ｌ側（後方側）を臨む態様で、第２セグメント４２は、正面が画成する商品収納通路Ｌ側（前方側）を臨む態様で架設されている。
【００２８】
上記後段ユニット２３においては、個々の商品収納通路Ｌの下方側に商品搬出機構７０が設けてある。商品搬出機構７０は、商品の販売を制御するものであり、商品収納通路Ｌの下部出口に取り付けてある。
【００２９】
一方、上記前段ユニット２１および上記中段ユニット２２には、それぞれスペーサ部材６０が架設してある。図５は、図４における商品収納装置の上部の一部を拡大して示したものであり、図６は、図５に示した要部を上方側から示したものである。かかる図５および図６を用いてスペーサ部材６０について説明する。ここでは、まず前段ユニット２１に架設してあるスペーサ部材（以下、便宜上「前段スペーサ部材」とも称す）６０について説明する。
【００３０】
前段スペーサ部材６０は、例えば鋼板等の矩形状の板状部材を加工してなるものであり、支持部６１と、第１規制部６２と、第２規制部６３とを有している。支持部６１は、基端側に形成してある。この支持部６１は、板状部材の基端縁を円筒状に曲げることにより形成したものである。また、支持部６１の長手方向の長さは、前段ユニット２１の一対の側板２１１間の距離よりも僅かに大きい。そのような支持部６１は、両端部が側板２１１のそれぞれに形成された貫通孔２１１ａを内側から挿通して該両端部がカシメ等の加工が施されることにより、一対の側板２１１間に架け渡してある。
【００３１】
第１規制部６２および第２規制部６３は、それぞれ先端側に形成してある。第１規制部６２は、板状部材を途中で屈曲させたことにより形成される屈曲端部分である。この第１規制部６２は、中段ユニット２２を構成する一対の側板２２１間の距離に適合した幅を有している。第２規制部６３は、板状部材の先端縁を円筒状に曲げることにより形成したものである。この第２規制部６３の長手方向の長さは、前段ユニット２１のそれぞれの一対の側板２１１間の距離よりも僅かに大きい。そのような第２規制部６３は、両端部が前段ユニット２１のそれぞれを構成する一対の側板２１１の後縁に形成された切欠部２１１ｂを挿通した態様で配置してある。
【００３２】
したがって、前段スペーサ部材６０は、支持部６１が前段ユニット２１の貫通孔２１１ａを貫通し、かつ第２規制部６３が前段ユニット２１の切欠部２１１ｂを挿通した態様で、前段ユニット２１に架設してある。
【００３３】
次に、中段ユニット２２に架設してあるスペーサ部材（以下、便宜上「中段スペーサ部材」とも称す）６０について説明する。かかる中段スペーサ部材６０も、上述した前段スペーサ部材６０と同様に、矩形状の板状部材を加工してなるものであり、支持部６１、第１規制部６２および第２規制部６３を有している。支持部６１は、基端側に形成してある。この支持部６１は、板状部材の基端縁を円筒状に曲げることにより形成したものである。また、支持部６１の長手方向の長さは、中段ユニット２２の一対の側板２２１間の距離よりも僅かに大きい。そのような支持部６１は、両端部が側板２２１のそれぞれに形成された貫通孔２２１ａを内側から挿通して該両端部がカシメ等の加工が施されることにより、一対の側板２２１間に架け渡してある。
【００３４】
第１規制部６２および第２規制部６３は、それぞれ先端側に形成してある。第１規制部６２は、板状部材を途中で屈曲させたことにより形成される屈曲端部分である。この第１規制部６２は、後段ユニット２３を構成する一対の側板２３１間の距離に適合した幅を有している。第２規制部６３は、板状部材の先端縁を円筒状に曲げることにより形成したものである。この第２規制部６３の長手方向の長さは、中段ユニット２２のそれぞれの一対の側板２２１間の距離よりも僅かに大きい。そのような第２規制部６３は、両端部が中段ユニット２２のそれぞれを構成する一対の側板２２１の後縁に形成された切欠部２２１ｂを挿通した態様で配置してある。
【００３５】
したがって、中段スペーサ部材６０は、支持部６１が中段ユニット２２の貫通孔２２１ａを貫通し、かつ第２規制部６３が中段ユニット２２の切欠部２２１ｂを挿通した態様で、中段ユニット２２に架設してある。
【００３６】
以上説明したような前段ユニット２１、中段ユニット２２および後段ユニット２３は、それぞれ次のようにして本体キャビネット１の内部に配設されることにより、商品収納装置２０を構成する。
【００３７】
まず、一対の側板２３１間の上端部に架け渡されたフック２３２を、本体キャビネット１の天板の所定個所に配設した後段支持用レール（図示せず）に係合させることにより、後段ユニット２３は、本体キャビネット１内部の背面側に配設されることになる。
【００３８】
次に、一対の側板２２１間の上端部に架け渡されたフック２２２を、本体キャビネット１の天板の所定個所に配設された中段支持用レール（図示せず）に係合させることにより、中段ユニット２２は、後段ユニット２３の前方側に配設されることになる。その際、中段ユニット２２に架設された中段スペーサ部材６０の第１規制部６２が後段ユニット２３の側板２３１間に進入することになる。これにより、中段ユニット２２と後段ユニット２３とが相対的に左右方向へ移動することが規制される。したがって、中段ユニット２２と後段ユニット２３とは、両者の対応する側板２２１，２３１どうしが一直線上に配設され、側板間距離も等しいものになり、その結果、中段ユニット２２と後段ユニット２３とは、それぞれの上部が同一の幅を有して一直線上に連通している。一方、中段ユニット２２と後段ユニット２３との間には、中段ユニット２２の側板２２１の切欠部２２１ｂを挿通する第２規制部６３が介在することになる。かかる第２規制部６３の存在により、中段ユニット２２と後段ユニット２３とが必要以上に近接することが規制される。したがって、中段ユニット２２と後段ユニット２３との間には必要最低限のスペースが確保されることになる。
【００３９】
そして、一対の側板２１１間の上端部に架け渡されたフック２１２を、本体キャビネット１の天板の所定個所に配設された前段支持用レール（図示せず）に係合させることにより、前段ユニット２１は、中段ユニット２２の前方側に配設されることになる。その際、前段ユニット２１に架設された前段スペーサ部材６０の第１規制部６２が中段ユニット２２の側板２２１間に進入することになる。これにより、前段ユニット２１と中段ユニット２２とが相対的に左右方向へ移動することが規制される。したがって、前段ユニット２１と中段ユニット２２とは、両者の対応する側板２１１，２２１どうしが一直線上に配設され、側板間距離も等しいものになり、その結果、前段ユニット２１と中段ユニット２２とは、それぞれの上部が同一の幅を有して一直線上に連通している。一方、前段ユニット２１と中段ユニット２２との間には、前段ユニット２１の側板２１１の切欠部２１１ｂを挿通する第２規制部６３が介在することになる。かかる第２規制部６３の存在により、前段ユニット２１と中段ユニット２２とが必要以上に近接することが規制される。したがって、前段ユニット２１と中段ユニット２２との間には必要最低限のスペースが確保されることになる。
【００４０】
そのような前段ユニット２１、中段ユニット２２および後段ユニット２３では、それぞれの上部が同一の幅（側板間距離）を有した状態で一直線上に連通しており、複数の板状のトレイを、各商品収納通路Ｌに対応する態様で前段ユニット２１の前方側から挿入することにより、個々の商品収納通路Ｌに投入された商品を案内する商品投入用トレイ８０が上下方向に沿って複数段設けられることになる。より詳細には、商品投入用トレイ８０が、漸次下方傾斜する態様で、上下方向に沿って複数段設けられることになる。これにより、図４に示したような、３分割構造を有する商品収納装置２０が構成される。
【００４１】
上述した商品収納装置２０においては、商品を補充する場合、前方から商品投入口５０を通じて商品投入用トレイ８０に商品を横向きの姿勢（倒置姿勢）で投入する。そうすると、商品は、商品投入用トレイ８０の傾斜にしたがって漸次後方に向けて転動し、該商品投入用トレイ８０の後端から落下して商品収納通路Ｌに進入する。商品収納通路Ｌに商品が投入すると、バネに付勢されたフラッパ３０が、商品に当接することになる。商品が当接したフラッパ３０は、バネの付勢力に抗して配設されているセグメント４１，４２に近接する向きに揺動して商品の落下衝撃を緩和することができるようになる。商品が通過した後にあっては、バネの弾性復元力により、フラッパ３０が再び商品収納通路Ｌに向けて突出した位置に復帰する。そして、複数の商品が商品投入用トレイ８０に順次投入される結果、商品収納通路Ｌでは、商品が商品搬出機構７０の上に重なるように順次積み上げ収納される。
【００４２】
一方、商品を販売する場合、すなわち自動販売機に料金が投入され、所望とする商品選択ボタン９が押下されると、指定された商品を収納する商品搬出機構７０が販売指令に基づいて駆動し、最下段に収納された商品が１個ずつ商品搬出用シュータ４を介して商品取出口１４に払い出される。
【００４３】
以上説明したように、本発明の実施の形態にかかる商品収納装置２０によれば、各商品収納ユニット（前段ユニット２１および中段ユニット２２）に架設したスペーサ部材６０が、前後に隣接する商品収納ユニット（２１，２２，２３）が相対的に左右方向に移動することを規制するので、各商品収納ユニットを同一の幅を有した状態で一直線上に連通させることができ、これにより、商品投入用トレイ８０を確実に所望の姿勢で配置することができるとともに、手動にて商品投入用トレイ８０の位置を前後に切り換える調整操作を容易に行うことができる。また、スペーサ部材６０が、前後に隣接する商品収納ユニットが必要以上に近接することを規制するので、商品収納ユニットの間に必要最低限のスペースを確保でき、これにより、隣接する商品収納ユニットの側板（２１１，２２１，２３１）どうしが干渉してしまうことによる側板の変形や商品投入用トレイ８０の奥方の通路寸法の狭小化等を招来することがない。したがって、側板の変形等を招来せずに、投入された商品を良好に商品収納通路Ｌに案内させることができる。
【産業上の利用可能性】
【００４４】
以上のように、本発明にかかる商品収納装置は、例えば缶入り飲料、瓶入り飲料およびペットボトル入り飲料等の各種商品を販売する自動販売機に有用である。
【図面の簡単な説明】
【００４５】
【図１】本発明の実施の形態にかかる商品収納装置が適用された自動販売機を示した正面図である。
【図２】図１に示した自動販売機において外扉を開成した状態を示した斜視図である。
【図３】図１に示した自動販売機において扉体を開成した状態を示した斜視図である。
【図４】商品収納装置を示した側断面図である。
【図５】図４における商品収納装置の要部を拡大して示した説明図である。
【図６】図５における要部を上方から示した説明図である。
【符号の説明】
【００４６】
２０      商品収納装置
２１      前段ユニット
２１１    側板
２２      中段ユニット
２２１    側板
２３      後段ユニット
２３１    側板
３０      フラッパ
４１      第１セグメント
４２      第２セグメント
６０      スペーサ部材
６１      支持部
６２      第１規制部
６３      第２規制部
７０      商品搬出機構
８０      商品投入用トレイ
Ｌ        商品収納通路
【図１】
2006251907.tif 000003
【図２】
2006251907.tif 000004
【図３】
2006251907.tif 000005
【図４】
2006251907.tif 000006
【図５】
2006251907.tif 000007
【図６】
2006251907.tif 000008